(57)【要約】【課題】  マイコンプログラム情報を報知する手段を設けて、その場で、迅速かつ容易に確認する手段を設けることを目的とする。【解決手段】  制御部に搭載するマイコンの格納部に製品のマイナーチェンジ情報及び特殊仕様情報を含んだマイコンプログラム情報と、そのマイコンプログラム情報を報知させるステップを実行させるプログラムを格納する。衛生洗浄装置に電源を投入するとプログラムが実行され、マイナーチェンジ情報及び特殊仕様情報を衛生洗浄装置のＬＥＤ表示部に表示する。【選択図】  図２
2008002146.tif 000002
【特許請求の範囲】
【請求項１】
制御部に搭載するマイコンの格納部に、製品のマイナーチェンジ情報及び特殊仕様情報を含んだマイコンプログラム情報と、当該マイコンプログラム情報を報知させるステップを実行させるプログラムを格納したことを特徴とする衛生洗浄装置。
【請求項２】
前記マイコンプログラム情報は、前記衛生洗浄装置の電源投入時に、電源投入検出回路により、マイコンが電源を投入したことを検出して、報知させることを特徴とする請求項１に記載の衛生洗浄装置。
【請求項３】
前記マイコンプログラム情報は、操作部のスイッチ操作により、報知させることを特徴とする請求項１に記載の衛生洗浄装置。
【請求項４】
前記報知は、衛生洗浄装置の機能を表示する表示部の表示ランプまたはブザーを利用してなされることを特徴とする請求項１〜３のいずれか１項に記載の衛生洗浄装置。
【発明の詳細な説明】
【技術分野】
【０００１】
本発明は、マイコンを搭載した衛生洗浄装置において、その装置に搭載するマイコンプログラム情報を、その場で、迅速かつ容易に確認する手段に関するものである。
【背景技術】
【０００２】
衛生洗浄装置に搭載するマイコンプログラムは、製品のマイナーチェンジにより、プログラムを変更したものや、客先の要望等で、カスタマイズした特殊仕様のプログラムがあり、同一機種であっても、複数のマイコンプログラムが存在している。
【０００３】
図７、図８に衛生洗浄装置の制御部のブロック図を示す。制御部８は、マイコン９、電源回路１０、リセット回路１１、操作部１２から構成される。図７において、操作部１２はマイコン９と有線接続され、図８において、操作部１２はマイコン９と赤外線等の無線通信で接続される。マイコン９は格納部９ａを有する。図９に格納部９ａのデータ配置を示す。格納部９ａには、マイコンプログラム１５、マイコンプログラム識別記号１６が格納される。マイコンプログラム識別記号１６は、プログラムを変更した場合に識別記号を変更することにより、同一機種において複数存在するプログラムを識別することに使用する。このマイコンプログラム識別記号１６は、主に基板製造時に、所定のマイコンプログラム１５が、格納部９ａに格納されているか確認する為に使用する。
【０００４】
格納部に格納されていたデータを電源投入時に読み込む技術は、機能切替手段として利用する方法が提案されている。（例えば、特許文献１、特許文献２を参照）
【特許文献１】特開平７−２３４７０６号  公報（第８頁、第３図）
【特許文献２】特開平８−２６０５４７号  公報（第３頁、第１図）
【０００５】
メインテナンス等で、その衛生洗浄装置に搭載するマイコンプログラムが、複数存在するどの種類であるかを確認する場合、従来技術では、制御部へ表示装置を接続し、マイコンプログラム識別記号１６を表示装置に表示させて確認する、あるいは製品内部、制御部８付近に表示されたプログラム識別記号ラベルや、製造番号より、その装置に搭載するマイコンプログラムの種類を確認していた。
【発明の開示】
【発明が解決しようとする課題】
【０００６】
表示装置を接続してマイコンプログラム識別記号を確認しようとした場合、表示装置が必要となり、また、衛生洗浄装置のケースカバーを取り外し、制御部と表示装置を信号ケーブルで接続するといった作業が必要となる。また、製品内部に表示するマイコンプログラム識別記号ラベルでマイコンプログラムの種類を確認しようとした場合にも、衛生洗浄装置のケースカバーを取り外すという作業が必要となる。また、製造番号よりマイコンプログラムの種類を確認しようとした場合、装置に表示された製造番号を目視にて確認後、調査する必要がある。いずれの手段も、非常に手間がかかるという課題を有していた。
【０００７】
そこで、本発明では、上記の問題点を解決するために、マイコンプログラム情報を報知する手段を設けて、その場で、迅速かつ容易に確認する手段を設けることを目的とする。
【課題を解決するための手段】
【０００８】
本発明では、制御部に搭載するマイコンの格納部に製品のマイナーチェンジ情報及び特殊仕様情報を含んだマイコンプログラム情報と、そのマイコンプログラム情報を報知させるステップを実行させるプログラムを格納することとした。
【０００９】
マイコンプログラム情報を、マイナーチェンジ情報、特殊設定情報と２つに分類することにより、例えば、特殊仕様のマイコンプログラムの元となるマイコンプログラムの情報が認識可能となり、メインテナンス作業者へ診断情報として提供可能となる。さらに、報知する手段を設けることにより、その衛生洗浄装置に搭載するマイコンプログラム情報をその場で、迅速に確認することが可能である。
【００１０】
また、上記マイコンプログラム情報は、衛生洗浄装置の電源投入時に、電源投入検出回路により、マイコンが電源を投入したことを検出して、報知させることとした。
【００１１】
スイッチの操作をすることなく、電源を投入するだけで報知する為、誰もが容易にマイコンプログラム情報が確認可能である。
【００１２】
また、操作部のスイッチ操作により、マイコンプログラム情報を報知させることとした。
【００１３】
利用者に表示を見せたくない等の理由で、特定の人間にのみ報知させたい場合には、有効な手段である。
【００１４】
さらに、搭載するマイコンプログラム情報を報知する手段は、表示部の表示ランプまたはブザーを利用してなされることとした。
【００１５】
衛生洗浄装置の機能を表示する表示部のランプ、ブザーを兼用することにより、安価に構成が可能である。
【発明の効果】
【００１６】
本発明によれば、同一機種において、複数のマイコンプログラムが存在している衛生洗浄装置において、その衛生洗浄装置に搭載しているマイコンプログラムの種類を、その場で、迅速かつ容易に確認することができる。
【発明を実施するための最良の形態】
【００１７】
以下に実施例を図１から図８を用いて具体的に説明する。
図１は、本発明を採用した衛生洗浄装置におけるマイコンプログラムの格納状況を説明するデータ配置図である。図７あるいは図８の衛生洗浄装置において、マイコン９の格納部９ａには、マイコンプログラム１５、格納部９ａの任意アドレス「ＸＸＸＸ」に記憶されたマイナーチェンジ情報１、任意アドレス「ＹＹＹＹ」に記憶された特殊仕様情報２、からなるマイコンプログラム情報を格納する。マイコンプログラム情報を報知するイベントが発生すると、マイコンプログラム１５により、格納部９ａに格納したマイコンプログラム情報を報知することが可能である。
【００１８】
図２に本発明の第１の実施例として、マイコンプログラム情報の報知にかかるフローチャートを示す。図７、図８に示す制御部８の、電源回路１０とリセット回路１１より生成されるリセット信号により、マイコン９が、電源が投入されたことを検出すると（ステップＳ２０：Ｙｅｓ）、格納部９ａに格納されるマイコンプログラム１５が動作を開始し、初期化処理を行う（ステップＳ２１）。マイコンの初期設定処理（ステップＳ２１）が終了し、各種表示ランプ及びブザーを有する報知部１３のランプが全点灯（ステップＳ２２）すると、マイコンプログラムは、格納部９ａの任意アドレス「ＸＸＸＸ」に格納されるマイナーチェンジ情報１を読み込み、マイナーチェンジ情報１を一定時間報知する（ステップＳ２３、Ｓ２４）。その後、任意アドレス「ＹＹＹＹ」に記憶される特殊仕様情報２を読み込み、特殊仕様情報２を一定時間報知する（ステップＳ２５、Ｓ２６）。この例では、スイッチの操作をすることなく、電源を投入するだけで、制御部に格納したマイコンプログラム情報を報知するため、誰もが、容易にソフトウェアの種類を確認することが可能である。
【００１９】
図３にの第２の実施例として、マイコンプログラム情報の報知にかかるフローチャートを示す。まず、図７、図８に示す操作部１２のスイッチを押下しながら電源を投入する。図７、図８に示す電源回路１０、リセット回路１１、より生成されるリセット信号により、マイコン９が、電源が投入されたことを検出すると（ステップＳ２０）、格納部９ａに格納されるマイコンプログラム１５が動作を開始し、初期化処理を行う（ステップＳ２１）。マイコンの初期設定処理（ステップＳ２１）が終了し、報知部１３のランプが全点灯すると（ステップＳ２２）、操作部１２のおしり洗浄スイッチが押されているかの認識処理を行う（ステップＳ２７）。おしり洗浄スイッチが押されていることを認識すると、マイコンプログラムは、格納部９ａの任意アドレス「ＸＸＸＸ」に記憶されるマイナーチェンジ情報１を読み込み、マイナーチェンジ情報１を一定時間報知する（ステップＳ２３、Ｓ２４）。その後、任意アドレス「ＹＹＹＹ」に記憶される特殊仕様情報２を読み込み、特殊仕様情報２を一定時間報知する（ステップＳ２５、Ｓ２６）。この例では、操作方法を知る特定の人間にのみが、容易にソフトウェアの種類を確認することが可能である。
【００２０】
図４〜図６に、報知部１３の一例を示す。報知部１３は、ＬＥＤからなる各種表示ランプ（運転ランプ３、温水ランプ４、便座ランプ５、節電ランプ６）を備えており、さらに内部にブザー７を備える。節電ランプ６、は赤、緑、橙の三色の表示が可能である。図１に示すマイナーチェンジ情報１を報知する場合には、マイコン９は、そのマイナーチェンジ情報の種類を図５に示すランプの点灯、消灯の組み合わせで表示する。その際、節電ランプ６は、マイナーチェンジ情報を表示中であることを示す識別として、赤色点灯とする。同様に、図１に示す特殊仕様情報２を報知する場合には、マイコン９は、その特殊仕様情報の種類を、図６に示すランプの点灯、消灯、点滅の組み合わせで表示する。その際、節電ランプ６は、特殊仕様情報を表示中であることを示す識別として、橙色点灯又は点滅とする。また、表示部１３には、ブザーを搭載しており、ランプ表示とブザー音を組み合わせることも可能であり、例えば、マイナーチェンジ情報１、特殊仕様情報２の表示切り替え時に、ブザー音を鳴らし、より表示識別を容易にするといった方法も可能である。
【図面の簡単な説明】
【００２１】
【図１】本発明を採用した衛生洗浄装置におけるマイコンプログラムの格納状況を説明するデータ配置図である。
【図２】本発明の第１の実施例であり、マイコンプログラム情報の報知にかかるフローチャートである。
【図３】本発明の第２の実施例であり、マイコンプログラム情報の報知にかかるフローチャートである。
【図４】報知部１３の一例を示す説明図である。
【図５】本発明においてマイナーチェンジ情報を報知する場合の表示例である。
【図６】本発明において特殊仕様情報を報知する場合の表示図である。
【図７】衛生洗浄装置制御部のブロック図で、操作部１２が有線接続されたものである。
【図８】衛生洗浄装置制御部のブロック図で、操作部１２が無線接続されたものである。
【図９】衛生洗浄装置格納部のデータ配置図である。
【符号の説明】
【００２２】
１：マイナーチェンジ情報、２：特殊仕様情報、３：運転ランプ、４：温水ランプ、５：便座ランプ、６：節電ランプ、７：ブザー、８：制御部、９：マイコン、９ａ：格納部、１０：電源回路、１１：リセット回路、１２：操作部、１３：報知部、１５：マイコンプログラム
【図１】
2008002146.tif 000003
【図２】
2008002146.tif 000004
【図３】
2008002146.tif 000005
【図４】
2008002146.tif 000006
【図５】
2008002146.tif 000007
【図６】
2008002146.tif 000008
【図７】
2008002146.tif 000009
【図８】
2008002146.tif 000010
【図９】
2008002146.tif 000011